【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
強化複合材料が：カップリング剤でコーティングされた複数の強化性繊維を有する少なくとも１の硬化樹脂を含み、前記硬化した樹脂が界面相で前記強化性繊維に接し、前記界面相の特性が、前記バルク硬化樹脂の特性と実質的に等しい特性を有するように、前記コーティングされた強化性繊維が処理され、前記処理が、前記コーティングされた強化性繊維に適用されるポリマーコーティング及び／又は親水性表面コーティングであり、前記ポリマーコーティングのポリマーがモノマー欠損低活性不飽和ポリエステル樹脂であり、前記親水性表面コーティングが、ポリオールとビニル官能シランを反応させることによって調製されることを特徴とする強化複合材料。
【請求項２】
硬化性樹脂を含む複合材料で用いられる強化性繊維において、前記強化性繊維が、カップリング剤でコーティングされており、かつ、使用時に、前記硬化した樹脂が界面相で前記強化性繊維に接し、前記界面相が前記バルク硬化樹脂の特性と実質的に等しい特性を有するように、モノマー欠損低活性不飽和ポリエステル樹脂を含むポリマーコーティング、及び／又はポリオールとビニル官能シランを反応させることによって調製された親水性表面コーティングの処理を適用されていることを特徴とする強化性繊維。
【請求項３】
請求項１に記載の強化複合材料又は請求項２に記載の強化性繊維において、前記強化性繊維はサイズ剤が除去されていることを特徴とする強化複合材料又は強化性繊維。
【請求項４】
請求項１又は請求項３に記載の強化複合材料又は請求項２又は請求項３に記載の強化性繊維において、前記カップリング剤が、Ｄｏｗ  Ｃｏｒｎｉｎｇ  Ｚ−６０３０（メタクリルオキシプロピルトリメトキシシラン）、Ｚ−６０３２（ビニルベンジルアミノエチルアミノプロピルトリメトキシシラン）、及びＺ−６０７５（ビニル―トリス（アセトキシ）シラン）からなる群より選択されるビニル官能シランであることを特徴とする強化複合材料又は強化性繊維。
【請求項５】
請求項１、３及び４のいずれか１項に記載の強化複合材料又は請求項２乃至４のいずれか１項に記載の強化性繊維において、前記ポリオールがトリメトリルプロパンであることを特徴とする強化複合材料又は強化性繊維。
【請求項６】
請求項１、又は請求項３乃至５のいずれか１項に記載の強化複合材料又は請求項２乃至５のいずれか１項に記載の強化性繊維において、前記強化性繊維がガラス繊維であり、前記ガラス繊維の長さが約１００乃至１０００ミクロンであることを特徴とする強化複合材料又は強化性繊維。
【請求項７】
請求項１、又は請求項３乃至６のいずれか１項に記載の強化複合材料又は請求項２乃至６のいずれか１項に記載の強化性繊維において、前記特性が、強度、じん性、及び脆性、又はこれらの組み合わせからなる群より選択される機械的特性を含む、又は、密度、架橋結合密度、化学抵抗、分子量、及び結晶度、又はこれらの組み合わせからなる群より選択された物理的又は化学的特性を含むことを特徴とする強化複合材料又は強化性繊維。
【請求項８】
請求項１、又は請求項３乃至７のいずれか１項に記載の強化複合材料又は請求項２乃至７のいずれか１項に記載の強化性繊維において、前記親水性表面コーティングが、約１６．６部の水と、１００部のアセトンと、２００部のポリマーを含むエマルジョンを用いた処理を更に含むことを特徴とする強化複合材料又は強化性繊維。
【請求項９】
請求項８に記載の強化複合材料又は請求項８に記載の強化性繊維において、前記エマルジョンが少なくとも１のフリーラジカル阻害剤を含み、前記フリーラジカル阻害剤がヒドロキノン、ヒンダードアミン、アセチルアセトン、ヒンダードフェノール、又はこれらの組み合わせであることを特徴とする強化複合材料又は強化性繊維。
【請求項１０】
請求項８又は請求項９に記載の強化複合材料又は請求項８又は請求項９に記載の強化性繊維が、前記少なくとも１の硬化性樹脂とポリマーを結合させて、ポリマー修飾樹脂を製造する工程を含み、前記ポリマーが、約５乃至５０％ｗ／ｗで前記少なくとも１の硬化性樹脂と結合されることを特徴とする強化複合材料又は強化性繊維。
【請求項１１】
請求項１０に記載の強化複合材料又は請求項１０に記載の強化性繊維において、前記硬化性樹脂が、引裂き抵抗、強度、じん性、及び脆化に対する抵抗のうち１又はそれ以上から選択された所定の特性を有するように、前記ポリマーで修飾され、前記特性が、未修飾の硬化樹脂と比べて比較的改善されていることを特徴とする強化複合材料又は強化性繊維。
【請求項１２】
請求項１０又は請求項１１に記載の強化複合材料又は請求項１０又は請求項１１に記載の強化性繊維において、前記ポリマーがモノマー欠損低活性不飽和ポリエステル樹脂であり、前記ポリマーのモノマー含有量が約５乃至３０％ｗ／ｗであることを特徴とする強化複合材料又は強化性繊維。
【請求項１３】
請求項１２に記載の強化複合材料又は請求項１２に記載の強化性繊維において、前記不飽和ポリエステル樹脂が、ポリオールを酸と反応させることによって調製され、前記ポリオールが、プロピレングリコール、メチルプロパンジオール、ネオペンチルグリコール、及びジエチレングリコールからなる群より選択され、前記酸が、テレフタル酸、イソフタル酸、フマル酸、及び１，４−シクロヘキサン二酸からなる群より選択され、前記不飽和ポリエステル樹脂が、約１．２：１乃至２：１の飽和酸対不飽和酸比からなることを特徴とする強化複合材料又は強化性繊維。
【請求項１４】
請求項１０乃至１３のいずれか１項に記載の強化複合材料又は請求項１０乃至１３のいずれか１項に記載の強化性繊維において：
ａ．前記少なくとも１の硬化性樹脂を修飾して、ポリマー修飾樹脂を製造；及び／又は
ｂ．前記強化性繊維をコーティング；及び／又は
ｃ．前記エマルジョンを調製
する際に同一の前記ポリマーが選択されることを特徴とする強化複合材料又は強化性繊維。
【請求項１５】
請求項１、又は３乃至１４のいずれか１項に記載の強化複合材料又は請求項２乃至１４のいずれか１項に記載の強化性繊維において、本発明によって処理されない繊維と比較したとき、前記処理が前記界面相の樹脂重合の触媒作用を低減することを特徴とする強化複合材料又は強化性繊維。
【請求項１６】
請求項１、又は３乃至１５のいずれか１項に記載の強化複合材料又は請求項２乃至１５のいずれか１項に記載の強化性繊維において、本発明によって処理されない繊維と比較したとき、前記処理が前記中間相の脆性を低減することを特徴とする強化複合材料又は強化性繊維。
【請求項１７】
請求項１、又は請求項３乃至１６のいずれか１項に記載の強化複合材料又は請求項２乃至１６のいずれか１項に記載の強化性繊維において、前記繊維が、前記樹脂に十分に結合されて前記樹脂を強化することを特徴とする強化複合材料又は強化性繊維。
【請求項１８】
液体硬化性複合体が、使用時に、硬化した樹脂が界面相で強化性繊維に接するように、少なくとも１の硬化性樹脂と、カップリング剤でコーティングされた複数の強化性繊維とを含み、前記界面相の特性がバルク硬化樹脂の特性と実質的に等しいように、前記コーティングされた強化性繊維が処理され、前記処理が、前記コーティングされた強化性繊維に適用されるポリマーコーティング及び／又は親水性表面コーティングであり、前記ポリマーコーティングのポリマーがモノマー欠損低活性不飽和ポリエステル樹脂であり、前記親水性表面コーティングが、ポリオールとビニル官能シランを反応させることによって調製されることを特徴とする液体硬化性複合体。
【請求項１９】
液体硬化性複合体が、少なくとも１の硬化性樹脂と、カップリング剤でコーティングされた複数の強化性繊維を含み、硬化させたときに、硬化した前記樹脂が界面相で前記強化性繊維に接し、前記界面相が前記バルク硬化樹脂の特性と実質的に等しい特性を有するように、前記コーティングされた強化性繊維が、モノマー欠損低活性不飽和ポリエステル樹脂を含むポリマーコーティング、及び／又はポリオールとビニル官能シランを反応させることによって調製された親水性表面コーティングを適用されていることを特徴とする液体硬化性複合体。